(57)【要約】  生体センサを利用することなく、直感的にわかりやすい形で心理状態の時間変化を可視化する技術を提供する。心理状態可視化装置は、ある時点におけるユーザの心理状態を表す心理状態感性表現語と、心理状態感性表現語に対応する、ユーザの心理状態を示す心理状態指標値とを入力とする入力部と、心理状態感性表現語の文字列と心理状態指標値とを時間的変動が視認可能な形式で可視化して提示する提示部を含む。
2020217373.tif 000002
【特許請求の範囲】
【請求項１】
ある時点におけるユーザの心理状態を表す心理状態感性表現語と、前記心理状態感性表現語に対応する、前記ユーザの心理状態を示す心理状態指標値とを入力とする入力部と、
前記心理状態感性表現語の文字列と前記心理状態指標値とを時間的変動が視認可能な形式で可視化して提示する提示部を含む、
心理状態可視化装置。
【請求項２】
ある時点におけるユーザの心理状態を表す心理状態感性表現語を入力とする入力部と、
心理状態感性表現語を入力とし、心理状態感性表現語に対応する心理状態指標値に変換する心理状態推定モデルを用いて、前記入力部に入力された心理状態感性表現語に対応する心理状態指標値を推定する心理状態推定部と、
前記心理状態感性表現語の文字列と前記心理状態指標値とを時間的変動が視認可能な形式で可視化して提示する提示部を含む、
心理状態可視化装置。
【請求項３】
請求項２の心理状態可視化装置であって、
前記心理状態推定モデルは、心理状態感性表現語とそれに対応する心理状態指標値とを対応付けたものである、
心理状態可視化装置。
【請求項４】
請求項２の心理状態可視化装置であって、
前記心理状態推定モデルは、学習用の心理状態感性表現語とそれに対応する学習用の心理状態指標値とに基づき機械学習により学習されたものである、
心理状態可視化装置。
【請求項５】
心理状態可視化装置が、ある時点におけるユーザの心理状態を表す心理状態感性表現語と、前記心理状態感性表現語に対応する、前記ユーザの心理状態を示す心理状態指標値とを入力とする入力ステップと、
前記心理状態可視化装置が、前記心理状態感性表現語の文字列と前記心理状態指標値とを時間的変動が視認可能な形式で可視化して提示する提示ステップを含む、
心理状態可視化方法。
【請求項６】
心理状態可視化装置が、ある時点におけるユーザの心理状態を表す心理状態感性表現語を入力とする入力ステップと、
前記心理状態可視化装置が、心理状態感性表現語を入力とし、心理状態感性表現語に対応する心理状態指標値に変換する心理状態推定モデルを用いて、前記入力ステップにおいて入力された心理状態感性表現語に対応する心理状態指標値を推定する心理状態推定ステップと、
前記心理状態可視化装置が、前記心理状態感性表現語の文字列と前記心理状態指標値とを時間的変動が視認可能な形式で可視化して提示する提示ステップを含む、
心理状態可視化方法。
【請求項７】
請求項１から請求項４の何れかの心理状態可視化装置としてコンピュータを機能させるためのプログラム。
【発明の詳細な説明】
【技術分野】
【０００１】
本発明は、ユーザの心理状態を可視化する心理状態可視化装置、その方法、およびプログラムに関する。
【背景技術】
【０００２】
利用者の心理状態を可視化する装置の従来技術として特許文献１が知られている。特許文献１では、ユーザに取り付けた生体センサで取得した情報を所定時間区間毎に解析することで、ユーザのその時間区間における感情を推定し表示する。
【先行技術文献】
【特許文献】
【０００３】
【特許文献１】特開２０１６−１０６６８９号公報
【発明の概要】
【発明が解決しようとする課題】
【０００４】
特許文献１では、生体センサを取得するデバイスを身体に取り付ける必要がある。また、生体センサのデータに基づいて推定された感情は、ユーザ自身の認知している感情と合致しないことがあり、直感的に分かりにくいという問題がある。【０００５】
このような問題に鑑み、本発明では、生体センサを利用することなく、直感的にわかりやすい形で心理状態の時間変化を可視化する技術を提供することを目的とする。
【課題を解決するための手段】
【０００６】
上記の課題を解決するために、本発明の一態様によれば、心理状態可視化装置は、ある時点におけるユーザの心理状態を表す心理状態感性表現語と、心理状態感性表現語に対応する、ユーザの心理状態を示す心理状態指標値とを入力とする入力部と、心理状態感性表現語の文字列と心理状態指標値とを時間的変動が視認可能な形式で可視化して提示する提示部を含む。【０００７】
上記の課題を解決するために、本発明の他の態様によれば、心理状態可視化装置は、ある時点におけるユーザの心理状態を表す心理状態感性表現語を入力とする入力部と、心理状態感性表現語を入力とし、心理状態感性表現語に対応する心理状態指標値に変換する心理状態推定モデルを用いて、入力部に入力された心理状態感性表現語に対応する心理状態指標値を推定する心理状態推定部と、心理状態感性表現語の文字列と心理状態指標値とを時間的変動が視認可能な形式で可視化して提示する提示部を含む。
【発明の効果】
【０００８】
本発明によれば、生体センサを利用することなく、直感的にわかりやすい形で心理状態の時間変化を可視化することができるという効果を奏する。
【図面の簡単な説明】
【０００９】
【図１】第一実施形態に係る心理状態可視化装置の機能ブロック図。
【図２】第一実施形態に係る心理状態可視化装置の処理フローの例を示す図。
【図３】可視化の例を示す図。
【図４】可視化の例を示す図。
【図５】可視化の例を示す図。
【図６】可視化の例を示す図。
【図７】第二実施形態に係る心理状態可視化装置の機能ブロック図。
【図８】第二実施形態に係る心理状態可視化装置の処理フローの例を示す図。
【図９】学習データからなるテーブルの例を示す図。
【発明を実施するための形態】
【００１０】
以下、本発明の実施形態について、説明する。なお、以下の説明に用いる図面では、同じ機能を持つ構成部や同じ処理を行うステップには同一の符号を記し、重複説明を省略する。
【００１１】
＜第一実施形態＞
図１は第一実施形態に係る心理状態可視化装置の機能ブロック図を、図２はその処理フローを示す。
【００１２】
心理状態可視化装置は、入力部１１０と提示部１２０とを含む。
【００１３】
心理状態可視化装置は、心理状態感性表現語の文字列と心理状態指標値と対応する時刻とを入力とし、心理状態の時系列を可視化して、提示する。心理状態感性表現語は、ある時点におけるユーザの心理状態を表すものであり、例えば、オノマトペと感嘆詞の少なくとも何れかにカテゴライズされる語の総称である。また、オノマトペは、例えば、擬音語、擬態語、擬情語の少なくとも何れかにカテゴライズされる語の総称である。ここで、擬音語は実際の音を言語音で表現したものであり、擬態語は音ではない感覚を言語音で表現したものであり、擬情語は心理状態を言語音で表現したものである。なお、感嘆詞は感動詞と呼ばれることもある。また、例えば、心理状態指標値は、ユーザの心理状態を示すものであり、ある時点における心理状態の度合いを表すものとする。以下では、心理状態感性表現語がオノマトペである場合について説明するが、感嘆詞である場合についても同様に処理可能である。
【００１４】
心理状態可視化装置は、例えば、中央演算処理装置（CPU: Central Processing Unit）、主記憶装置（RAM: Random Access Memory）などを有する公知又は専用のコンピュータに特別なプログラムが読み込まれて構成された特別な装置である。心理状態可視化装置は、例えば、中央演算処理装置の制御のもとで各処理を実行する。心理状態可視化装置に入力されたデータや各処理で得られたデータは、例えば、主記憶装置に格納され、主記憶装置に格納されたデータは必要に応じて中央演算処理装置へ読み出されて他の処理に利用される。心理状態可視化装置の各処理部は、少なくとも一部が集積回路等のハードウェアによって構成されていてもよい。心理状態可視化装置が備える各記憶部は、例えば、RAM（Random Access Memory）などの主記憶装置、またはリレーショナルデータベースやキーバリューストアなどのミドルウェアにより構成することができる。ただし、各記憶部は、必ずしも心理状態可視化装置がその内部に備える必要はなく、ハードディスクや光ディスクもしくはフラッシュメモリ（Flash Memory）のような半導体メモリ素子により構成される補助記憶装置により構成し、心理状態可視化装置の外部に備える構成としてもよい。
【００１５】
例えば、心理状態可視化装置は、携帯端末やタブレット端末等に実装されてもよい。
【００１６】
以下、各部について説明する。
【００１７】
＜入力部１１０＞
入力部１１０は、ユーザから現在の自らの状態を表現するオノマトペの文字列と、そのときの心理状態指標値と、対応する時刻との入力を受け付け（Ｓ１１０）、提示部１２０に出力する。
【００１８】
心理状態指標値とは、例えば、
（１）快である状態を４とし、不快である状態を−４とする９段階で感情のポジティブ度合いを表したもの
（２）楽しい状態を４とし、つまらない状態を０とする５段階で楽しさ度合いを表したもの
（３）やる気に溢れている状態を４とし、やる気が出ない状態を０とする５段階でやる気度合いを表したもの
等、予め設定した尺度を複数の段階（上述の例では９段階や５段階）で表現したものである。
【００１９】
心理状態指標値は１つ（例えば上記（１）〜（３）の何れか）であっても良いし、複数（例えば上記（１）と（３）等）としてもよい。
【００２０】
例えば、携帯端末やタブレット端末等のディスプレイにオノマトペの文字列の入力欄と、心理状態指標値の入力欄を表示し、タッチパネル等の入力部を介して、ユーザがオノマトペの文字列と心理状態指標値とを入力する。
【００２１】
なお、入力欄は、所定の種類のオノマトペの文字列や予め設定した複数の段階で表された心理状態指標値を表示して選択する構成としてもよいし、自由にユーザが入力する構成としてもよい。
【００２２】
対応する時刻は、ユーザがタッチパネル等の入力部を介してオノマトペの文字列と心理状態指標値とを入力した時刻(入力時刻)であってもよいし、入力部１１０がオノマトペの文字列と心理状態指標値とを受け付けた時刻(受付時刻)であってもよい。入力時刻の場合にはタッチパネル等の入力部が内蔵時計やNTPサーバ等から時刻を取得して入力部１１０に出力する構成とし、受付時刻の場合には例えば内蔵時計やNTPサーバ等から入力部１１０が受付時刻を取得する構成としてもよい。
【００２３】
＜提示部１２０＞
提示部１２０は、オノマトペの文字列と、オノマトペの文字列に対応する心理状態指標値と、対応する時刻とを入力とし、これらの情報に基づいて、オノマトペの文字列とオノマトペの文字列に対応する心理状態指標値とを、時間的変動が視認可能な形式で可視化して提示する(Ｓ１２０)。本実施形態では、提示部１２０は、時刻に対応する心理状態指標値（以下、心理状態レベルともいう）を表すマーカの近傍に、同時刻に対応するオノマトペの文字列の情報を表示する（図３−６参照）。
【００２４】
提示する心理状態レベルが１種類（例えば上述の楽しさ度合い）の場合は、例えば、図３や図４のように、時間を横軸、心理状態レベルを縦軸とする２次元のグラフで可視化する。この例では、心理状態レベルを表すマーカの近傍に同時刻に対応するオノマトペの文字列を表示している。時間軸（横軸）は、図３のように時刻情報を表示する形式や、図４のように時刻に対応するアイコンを表示する形式等、時間の経過（時系列）を把握できる形であれば何でもよい。言い換えると、オノマトペの文字列と心理状態レベルとの時間的変動が視認可能な形式であれば、何でもよい。図４の例では、心理状態レベルの時間的変動を可視化したマーカの近傍に心理状態レベル値そのものも表示している。
【００２５】
提示する心理状態レベルが２種類の場合は、例えば、図５のように、縦軸と横軸をそれぞれ異なる心理状態レベルとして、時刻毎の心理状態レベルの組をマーカで表し、ある時刻のマーカを始点とし、次の時刻のマーカを終点とする矢印で結ぶことで、時刻毎の２種類の心理状態レベルの時間的変化を可視化する。言い換えると、オノマトペの文字列と２種類の心理状態レベルとの時間的順序が分かるように提示する。ここで、図５の実線矢印と破線矢印は、同一人物の異なる日における心理状態の変化を表す。
【００２６】
ただし、複数種類の心理状態レベルが対応付けられている場合、図５のように全てをグラフの軸とする必要はない。例えば、図６のように、心理状態レベルの一部（１種類または２種類）を用いて図３−５（この例では図４）のようなグラフ表示をすると共に、残りの心理状態レベルをそれぞれアイコンやグラフ等で可視化してもよい。図６では、心理状態レベルのうち「気力」をメーターのアイコンとしてグラフとは別の形で可視化している。この例では１日を４つの時間帯に分割し、それぞれの時間帯において取得されたオノマトペに対応する気力レベルの代表値をメーターのメモリで表現することで、気力の時間的変動が視覚的に把握できる形で可視化し、提示している。
【００２７】
以上のように、提示部では、少なくとも1種類以上の心理状態レベルの時間的変動を多次元空間上の図形（グラフ）により可視化したものであって、その各時刻に対応する図形上の位置の近傍にオノマトペの文字列が表示されればよい。あるいは、少なくとも1種類以上の心理状態レベルの大きさを目盛や長さ、あるいは大きさに対応付けることにより可視化して提示してもよい。
【００２８】
＜効果＞
このような構成とすることで、生体センサを利用することなく、直感的にわかりやすい形で心理状態の時間変化を可視化することができる。
【００２９】
＜変形例＞
本実施形態では、心理状態可視化装置が携帯端末やタブレット端末等に実装される場合について説明したが、例えば、携帯端末やタブレット端末等をクライアントとするサーバ上に実装されてもよい。この場合、提示部１２０は、提示する可視化情報に関する情報を出力し、携帯端末やタブレット端末等のディスプレイ上で情報を提示する。提示する可視化情報に関する情報とは、例えば、提示する画像そのものでもよいし、携帯端末やタブレット端末等で提示する画像を生成する際に用いるパラメータであってもよい。
【００３０】
＜第二実施形態＞
第一実施形態と異なる部分を中心に説明する。
【００３１】
第一実施形態では、入力部１１０において毎時ユーザがオノマトペの文字列とともに心理状態指標値も入力していたが、第二実施形態ではユーザがオノマトペの文字列のみを入力する。ユーザが入力したオノマトペの文字列に対応する心理状態指標値を推定する構成が追加されている点が異なる。
【００３２】
図７は第一実施形態に係る心理状態可視化装置の機能ブロック図を、図８はその処理フローを示す。
【００３３】
心理状態可視化装置は、入力部２１０と心理状態推定部２３０と提示部１２０とを含む。
【００３４】
＜入力部２１０＞
入力部２１０は、ユーザから現在の自らの状態を表現するオノマトペの文字列と、対応する時刻との入力を受け付け（Ｓ２１０）、オノマトペの文字列を提示部１２０と心理状態推定部２３０に出力し、対応する時刻を提示部１２０に出力する。受け付け方法は、心理状態指標値がないことを除いて第一実施形態と同様である。
【００３５】
＜心理状態推定部２３０＞
心理状態推定部２３０は、オノマトペの文字列を入力とし、心理状態推定モデルを用いて、オノマトペに対応する心理状態指標値を推定し（Ｓ２３０）、提示部１２０に出力する。
【００３６】
心理状態推定モデルは、入力されたオノマトペの文字列を当該オノマトペに対応する心理状態指標値に変換するモデルであり、予め複数の人から取得したオノマトペの文字列と心理状態指標値とを対応付けたデータ（学習用データ）を用いて予め作成しておく。
【００３７】
学習用データは、第一実施形態の入力部１１０に入力されたデータを複数の人から集めたようなものを用いれば良い。このとき、対応する時刻を除いてもよい。つまり、ユーザの心理状態を表現するオノマトペの文字列と、そのときの心理状態指標値の組合せを大量に準備し、学習用データとしてもよい。
【００３８】
図９は、学習データからなるテーブルの例を示す。この例では、気力、喜び、怒り、悲しみは、０〜４の５段階の数値で表しており、それぞれの度合いが高いほど大きな数値とする。快不快は−４〜４の９段階の数値で表しており、「快」の度合いが強いほどプラスの値、「不快」の度合いが強いほどマイナスの値を示すものとして評価されたものである。
【００３９】
（心理状態推定モデルの例１）
各オノマトペ（文字列）とそれに対応する心理状態指標値とを対応付けたもの（例えば、テーブルやリスト）を心理状態推定モデルとして用いる。テーブルやリスト中の各心理状態指標値は、例えば、学習用データ中のあるオノマトペに対して各人が付与した心理状態指標値の代表値（平均値や中央値等）を用いる。
【００４０】
（心理状態推定モデルの例２）
この例では、心理状態推定モデルは、学習用のオノマトペとそれに対応する学習用の心理状態指標値とに基づきニューラルネットワーク等の機械学習により学習されたモデルである。例えば、オノマトペ（文字列）を入力とし、当該オノマトペに対応する心理状態指標値を出力するようなニューラルネットワークを心理状態推定モデルとして用いる。この場合は、予め適当な初期値を設定したニューラルネットワークに、学習用データ中のオノマトペ（文字列）を入力して得られる心理状態指標値の推定結果が、学習用データ中の当該オノマトペに対応付けられた心理状態指標値に近づくように、ニューラルネットワークのパラメータを繰り返し更新することにより、心理状態推定モデルを学習させる。なお、１つのオノマトペに対して複数の心理状態指標値を入力した学習用データを用いる場合は、心理状態推定モデルの出力も複数の心理状態指標値のリスト（組）として、学習をさせてもよい。
【００４１】
＜効果＞
このような構成により、第一実施形態と同様の効果を得ることができる。さらに、ユーザが心理状態指標値を入力する手間を省くことができる。
【００４２】
＜変形例＞
第一実施形態や第二実施形態の入力部では、ユーザがオノマトペの文字列を入力することとして説明をしたが、文字列そのものを入力することに限られるものではない。
【００４３】
例えば、オノマトペに１対１で対応付けられたイラストや画像等を入力することとしても良い。この場合、オノマトペとイラストや画像等とを対応付けたデータベースを備え、入力部は、イラストや画像等を入力とし、それに対応するオノマトペの文字列をデータベースから取り出し、提示部１２０に出力してもよい。
【００４４】
また、例えば、ユーザの発話を音声認識した結果に含まれるオノマトペの文字列を自動抽出することで、オノマトペの文字列の入力を受け付けても良い。例えば、入力部は、オノマトペの文字列に代えて、音声信号を入力とし、図示しない音声認識部で音声認識処理を行い、音声認識結果を得、その中からオノマトペの文字列を抽出し、提示部１２０に出力してもよい。例えば、対象とするオノマトペの文字列を記憶したデータベースを備え、このデータベースを参照して、音声認識結果からオノマトペの文字列を抽出する。
【００４５】
さらに、第二実施形態では、心理状態指標値を入力とする必要がないため、例えば、ユーザがメールを作成したり、webへ投稿するコメントを作成したりする際に入力したテキスト文字列中からオノマトペの文字列を自動抽出したものを入力として用いたり、ユーザが携帯電話等で話をする際のユーザの声を音声認識した結果からオノマトペの文字列を自動抽出したものを入力として用いてもよい。
【００４６】
＜その他の変形例＞
本発明は上記の実施形態及び変形例に限定されるものではない。例えば、上述の各種の処理は、記載に従って時系列に実行されるのみならず、処理を実行する装置の処理能力あるいは必要に応じて並列的にあるいは個別に実行されてもよい。その他、本発明の趣旨を逸脱しない範囲で適宜変更が可能である。
【００４７】
＜プログラム及び記録媒体＞
また、上記の実施形態及び変形例で説明した各装置における各種の処理機能をコンピュータによって実現してもよい。その場合、各装置が有すべき機能の処理内容はプログラムによって記述される。そして、このプログラムをコンピュータで実行することにより、上記各装置における各種の処理機能がコンピュータ上で実現される。
【００４８】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。
【００４９】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させてもよい。
【００５０】
このようなプログラムを実行するコンピュータは、例えば、まず、可搬型記録媒体に記録されたプログラムもしくはサーバコンピュータから転送されたプログラムを、一旦、自己の記憶部に格納する。そして、処理の実行時、このコンピュータは、自己の記憶部に格納されたプログラムを読み取り、読み取ったプログラムに従った処理を実行する。また、このプログラムの別の実施形態として、コンピュータが可搬型記録媒体から直接プログラムを読み取り、そのプログラムに従った処理を実行することとしてもよい。さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。なお、プログラムには、電子計算機による処理の用に供する情報であってプログラムに準ずるもの（コンピュータに対する直接の指令ではないがコンピュータの処理を規定する性質を有するデータ等）を含むものとする。
【００５１】
また、コンピュータ上で所定のプログラムを実行させることにより、各装置を構成することとしたが、これらの処理内容の少なくとも一部をハードウェア的に実現することとしてもよい。
【図１】
2020217373.tif 000003
【図２】
2020217373.tif 000004
【図３】
2020217373.tif 000005
【図４】
2020217373.tif 000006
【図５】
2020217373.tif 000007
【図６】
2020217373.tif 000008
【図７】
2020217373.tif 000009
【図８】
2020217373.tif 000010
【図９】
2020217373.tif 000011
【手続補正書】
【提出日】令和3年1月18日(2021.1.18)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
（削除）
【請求項５】
（削除）
【請求項６】
（削除）
【請求項７】
（削除）
【請求項８】
ある時点におけるユーザの心理状態を表すオノマトペと、当該時点における前記ユーザの心理状態を示す心理状態指標値とを入力とし、当該時点の時刻を取得する入力部と、
前記オノマトペの文字列と前記心理状態指標値とを時間的変動が視認可能な形式で可視化して提示する提示部を含み、
前記提示部は、
表示用の画面を備え、
前記画面上に時間軸と心理状態指標値の軸の二次元グラフを表示し、
前記二次元グラフ上の前記複数時刻のそれぞれの前記心理状態指標値の位置に所定のマーカを表示し、
前記各時刻のマーカの近傍に、当該マーカに対応する時刻の前記オノマトペの文字列を表示する、
心理状態可視化装置。
【請求項９】
請求項８に記載の心理状態可視化装置であって、
前記提示部は、
複数種類の前記心理状態指標値についての表示をするものであり、
前記画面上に時間の軸と第１種類の心理状態指標値の軸との二次元グラフを表示し、
前記二次元グラフ上の前記複数時刻のそれぞれの前記第１種類の前記心理状態指標値の位置に所定のマーカを表示し、
前記各時刻のマーカの近傍に、当該マーカに対応する時刻の前記オノマトペの文字列を表示し、
前記画面上に、前記二次元グラフと同時に、第２種類の心理状態の指標値の代表値を表示するための複数個のメータも表示し、
前記複数個のメータそれぞれは、前記複数の時刻に含まれるそれぞれ異なる時間区間に対応するものとして、時間順に並べて配置し、
前記複数個のメータそれぞれには、前記各時間区間における前記第２種類の前記心理状態指標値の代表値を指針で表示する、
心理状態可視化装置。
【請求項１０】
ある時点におけるユーザの心理状態を表すオノマトペと、当該時点における前記ユーザの心理状態を示す心理状態指標値とを入力とし、当該時点の時刻を取得する入力部と、
前記オノマトペの文字列と前記心理状態指標値とを時間的変動が視認可能な形式で可視化して提示する提示部を含み、
前記提示部は、
表示用の画面を備え、
前記画面上に第１種類の心理状態指標値の軸と第２種類の心理状態指標値の軸の二次元グラフを表示し、
前記二次元グラフ上の、前記複数時刻のそれぞれの前記第１種類の前記心理状態指標値と前記第２種類の前記心理状態指標値の組に対応する位置に所定のマーカを表示し、
前記各時刻のマーカの近傍に、当該マーカに対応する時刻の前記オノマトペの文字列を表示し、
前記各マーカから次の時刻のマーカへの矢印を表示する、
心理状態可視化装置。
【請求項１１】
請求項１０に記載の心理状態可視化装置であって、
前記複数の時刻は、第１の日の複数の時刻と前記第１の日とは異なる第２の日の複数の時刻を含み、
前記提示部は、
前記第１の日の前記矢印を、第１の線種で表示し、
前記第２の日の前記矢印を、前記第１の線種とは異なる第２の線種で表示する、
心理状態可視化装置。
【請求項１２】
ある時点におけるユーザの心理状態を表すオノマトペを入力とし、当該時点の時刻を取得する入力部と、
オノマトペを入力とし、オノマトペに対応する心理状態指標値に変換する心理状態推定モデルを用いて、前記入力部に入力されたオノマトペに対応する心理状態指標値を推定する心理状態推定部と、
前記オノマトペの文字列と前記心理状態指標値とを時間的変動が視認可能な形式で可視化して提示する提示部を含み、
前記提示部は、
表示用の画面を備え、
前記画面上に時間軸と心理状態指標値の軸の二次元グラフを表示し、
前記二次元グラフ上の前記複数時刻のそれぞれの前記心理状態指標値の位置に所定のマーカを表示し、
前記各時刻のマーカの近傍に、当該マーカに対応する時刻の前記オノマトペの文字列を表示する、
心理状態可視化装置。
【請求項１３】
請求項１２に記載の心理状態可視化装置であって、
前記提示部は、
複数種類の前記心理状態指標値についての表示をするものであり、
前記画面上に時間の軸と第１種類の心理状態指標値の軸との二次元グラフを表示し、
前記二次元グラフ上の前記複数時刻のそれぞれの前記第１種類の前記心理状態指標値の位置に所定のマーカを表示し、
前記各時刻のマーカの近傍に、当該マーカに対応する時刻の前記オノマトペの文字列を表示し、
前記画面上に、前記二次元グラフと同時に、第２種類の心理状態の指標値の代表値を表示するための複数個のメータも表示し、
前記複数個のメータそれぞれは、前記複数の時刻に含まれるそれぞれ異なる時間区間に対応するものとして、時間順に並べて配置し、
前記複数個のメータそれぞれには、前記各時間区間における前記第２種類の前記心理状態指標値の代表値を指針で表示する、
心理状態可視化装置。
【請求項１４】
ある時点におけるユーザの心理状態を表すオノマトペを入力とし、当該時点の時刻を取得する入力部と、
オノマトペを入力とし、オノマトペに対応する心理状態指標値に変換する心理状態推定モデルを用いて、前記入力部に入力されたオノマトペに対応する心理状態指標値を推定する心理状態推定部と、
前記オノマトペの文字列と前記心理状態指標値とを時間的変動が視認可能な形式で可視化して提示する提示部を含み、
前記提示部は、
表示用の画面を備え、
前記画面上に第１種類の心理状態指標値の軸と第２種類の心理状態指標値の軸の二次元グラフを表示し、
前記二次元グラフ上の、前記複数時刻のそれぞれの前記第１種類の前記心理状態指標値と前記第２種類の前記心理状態指標値の組に対応する位置に所定のマーカを表示し、
前記各時刻のマーカの近傍に、当該マーカに対応する時刻の前記オノマトペの文字列を表示し、
前記各マーカから次の時刻のマーカへの矢印を表示する、
心理状態可視化装置。
【請求項１５】
請求項１４に記載の心理状態可視化装置であって、
前記複数の時刻は、第１の日の複数の時刻と前記第１の日とは異なる第２の日の複数の時刻を含み、
前記提示部は、
前記第１の日の前記矢印を、第１の線種で表示し、
前記第２の日の前記矢印を、前記第１の線種とは異なる第２の線種で表示する、
心理状態可視化装置。
【請求項１６】
ある時点におけるユーザの心理状態を表す語でありオノマトペと感嘆詞の少なくとも何れかにカテゴライズされる語（以下、「心理状態感性表現語」という）と、当該時点における前記ユーザの心理状態を示す心理状態指標値とを入力とし、当該時点の時刻を取得する入力部と、
前記心理状態感性表現語の文字列と前記心理状態指標値とを時間的変動が視認可能な形式で可視化して提示する提示部を含み、
前記提示部は、
表示用の画面を備え、
前記画面上に時間軸と心理状態指標値の軸の二次元グラフを表示し、
前記二次元グラフ上の前記複数時刻のそれぞれの前記心理状態指標値の位置に所定のマーカを表示し、
前記各時刻のマーカの近傍に、当該マーカに対応する時刻の前記心理状態感性表現語の文字列を表示する、
心理状態可視化装置。
【請求項１７】
請求項１８に記載の心理状態可視化装置であって、
前記提示部は、
複数種類の前記心理状態指標値についての表示をするものであり、
前記画面上に時間の軸と第１種類の心理状態指標値の軸との二次元グラフを表示し、
前記二次元グラフ上の前記複数時刻のそれぞれの前記第１種類の前記心理状態指標値の位置に所定のマーカを表示し、
前記各時刻のマーカの近傍に、当該マーカに対応する時刻の前記心理状態感性表現語の文字列を表示し、
前記画面上に、前記二次元グラフと同時に、第２種類の心理状態の指標値の代表値を表示するための複数個のメータも表示し、
前記複数個のメータそれぞれは、前記複数の時刻に含まれるそれぞれ異なる時間区間に対応するものとして、時間順に並べて配置し、
前記複数個のメータそれぞれには、前記各時間区間における前記第２種類の前記心理状態指標値の代表値を指針で表示する、
心理状態可視化装置。
【請求項１８】
ある時点におけるユーザの心理状態を表す語でありオノマトペと感嘆詞の少なくとも何れかにカテゴライズされる語（以下、「心理状態感性表現語」という）と、当該時点における前記ユーザの心理状態を示す心理状態指標値とを入力とし、当該時点の時刻を取得する入力部と、
前記心理状態感性表現語の文字列と前記心理状態指標値とを時間的変動が視認可能な形式で可視化して提示する提示部を含み、
前記提示部は、
表示用の画面を備え、
前記画面上に第１種類の心理状態指標値の軸と第２種類の心理状態指標値の軸の二次元グラフを表示し、
前記二次元グラフ上の、前記複数時刻のそれぞれの前記第１種類の前記心理状態指標値と前記第２種類の前記心理状態指標値の組に対応する位置に所定のマーカを表示し、
前記各時刻のマーカの近傍に、当該マーカに対応する時刻の前記心理状態感性表現語の文字列を表示し、
前記各マーカから次の時刻のマーカへの矢印を表示する、
心理状態可視化装置。
【請求項１９】
請求項１８に記載の心理状態可視化装置であって、
前記複数の時刻は、第１の日の複数の時刻と前記第１の日とは異なる第２の日の複数の時刻を含み、
前記提示部は、
前記第１の日の前記矢印を、第１の線種で表示し、
前記第２の日の前記矢印を、前記第１の線種とは異なる第２の線種で表示する、
心理状態可視化装置。
【請求項２０】
ある時点におけるユーザの心理状態を表す語でありオノマトペと感嘆詞の少なくとも何れかにカテゴライズされる語（以下、「心理状態感性表現語」という）を入力とし、当該時点の時刻を取得する入力部と、
心理状態感性表現語を入力とし、心理状態感性表現語に対応する心理状態指標値に変換する心理状態推定モデルを用いて、前記入力部に入力された心理状態感性表現語に対応する心理状態指標値を推定する心理状態推定部と、
前記心理状態感性表現語の文字列と前記心理状態指標値とを時間的変動が視認可能な形式で可視化して提示する提示部を含み、
前記提示部は、
表示用の画面を備え、
前記画面上に時間軸と心理状態指標値の軸の二次元グラフを表示し、
前記二次元グラフ上の前記複数時刻のそれぞれの前記心理状態指標値の位置に所定のマーカを表示し、
前記各時刻のマーカの近傍に、当該マーカに対応する時刻の前記心理状態感性表現語の文字列を表示する、
心理状態可視化装置。
【請求項２１】
請求項２０に記載の心理状態可視化装置であって、
前記提示部は、
複数種類の前記心理状態指標値についての表示をするものであり、
前記画面上に時間の軸と第１種類の心理状態指標値の軸との二次元グラフを表示し、
前記二次元グラフ上の前記複数時刻のそれぞれの前記第１種類の前記心理状態指標値の位置に所定のマーカを表示し、
前記各時刻のマーカの近傍に、当該マーカに対応する時刻の前記心理状態感性表現語の文字列を表示し、
前記画面上に、前記二次元グラフと同時に、第２種類の心理状態の指標値の代表値を表示するための複数個のメータも表示し、
前記複数個のメータそれぞれは、前記複数の時刻に含まれるそれぞれ異なる時間区間に対応するものとして、時間順に並べて配置し、
前記複数個のメータそれぞれには、前記各時間区間における前記第２種類の前記心理状態指標値の代表値を指針で表示する、
心理状態可視化装置。
【請求項２２】
ある時点におけるユーザの心理状態を表す語でありオノマトペと感嘆詞の少なくとも何れかにカテゴライズされる語（以下、「心理状態感性表現語」という）を入力とし、当該時点の時刻を取得する入力部と、
心理状態感性表現語を入力とし、心理状態感性表現語に対応する心理状態指標値に変換する心理状態推定モデルを用いて、前記入力部に入力された心理状態感性表現語に対応する心理状態指標値を推定する心理状態推定部と、
前記心理状態感性表現語の文字列と前記心理状態指標値とを時間的変動が視認可能な形式で可視化して提示する提示部を含み、
前記提示部は、
表示用の画面を備え、
前記画面上に第１種類の心理状態指標値の軸と第２種類の心理状態指標値の軸の二次元グラフを表示し、
前記二次元グラフ上の、前記複数時刻のそれぞれの前記第１種類の前記心理状態指標値と前記第２種類の前記心理状態指標値の組に対応する位置に所定のマーカを表示し、
前記各時刻のマーカの近傍に、当該マーカに対応する時刻の前記心理状態感性表現語の文字列を表示し、
前記各マーカから次の時刻のマーカへの矢印を表示する、
心理状態可視化装置。
【請求項２３】
請求項２２に記載の心理状態可視化装置であって、
前記複数の時刻は、第１の日の複数の時刻と前記第１の日とは異なる第２の日の複数の時刻を含み、
前記提示部は、
前記第１の日の前記矢印を、第１の線種で表示し、
前記第２の日の前記矢印を、前記第１の線種とは異なる第２の線種で表示する、
心理状態可視化装置。
【請求項２４】
ある時点におけるユーザの心理状態を表す語でありオノマトペと感嘆詞の少なくとも何れかにカテゴライズされる語（以下、「心理状態感性表現語」という）と、当該時点における前記ユーザの心理状態を示す心理状態指標値とを入力とし、当該時点の時刻を取得する入力ステップと、
前記心理状態感性表現語の文字列と前記心理状態指標値とを時間的変動が視認可能な形式で可視化して提示する提示ステップを含み、
前記提示ステップは、
表示用の画面上に時間軸と心理状態指標値の軸の二次元グラフを表示し、
前記二次元グラフ上の前記複数時刻のそれぞれの前記心理状態指標値の位置に所定のマーカを表示し、
前記各時刻のマーカの近傍に、当該マーカに対応する時刻の前記心理状態感性表現語の文字列を表示する、
心理状態可視化方法。
【請求項２５】
ある時点におけるユーザの心理状態を表す語でありオノマトペと感嘆詞の少なくとも何れかにカテゴライズされる語（以下、「心理状態感性表現語」という）と、当該時点における前記ユーザの心理状態を示す心理状態指標値とを入力とし、当該時点の時刻を取得する入力ステップと、
前記心理状態感性表現語の文字列と前記心理状態指標値とを時間的変動が視認可能な形式で可視化して提示する提示ステップを含み、
前記提示ステップは、
表示用の画面上に第１種類の心理状態指標値の軸と第２種類の心理状態指標値の軸の二次元グラフを表示し、
前記二次元グラフ上の、前記複数時刻のそれぞれの前記第１種類の前記心理状態指標値と前記第２種類の前記心理状態指標値の組に対応する位置に所定のマーカを表示し、
前記各時刻のマーカの近傍に、当該マーカに対応する時刻の前記心理状態感性表現語の文字列を表示し、
前記各マーカから次の時刻のマーカへの矢印を表示する、
心理状態可視化方法。
【請求項２６】
ある時点におけるユーザの心理状態を表す語でありオノマトペと感嘆詞の少なくとも何れかにカテゴライズされる語（以下、「心理状態感性表現語」という）を入力とし、当該時点の時刻を取得する入力ステップと、
心理状態感性表現語を入力とし、心理状態感性表現語に対応する心理状態指標値に変換する心理状態推定モデルを用いて、前記入力ステップに入力された心理状態感性表現語に対応する心理状態指標値を推定する心理状態推定ステップと、
前記心理状態感性表現語の文字列と前記心理状態指標値とを時間的変動が視認可能な形式で可視化して提示する提示ステップを含み、
前記提示ステップは、
表示用の画面上に時間軸と心理状態指標値の軸の二次元グラフを表示し、
前記二次元グラフ上の前記複数時刻のそれぞれの前記心理状態指標値の位置に所定のマーカを表示し、
前記各時刻のマーカの近傍に、当該マーカに対応する時刻の前記心理状態感性表現語の文字列を表示する、
心理状態可視化方法。
【請求項２７】
ある時点におけるユーザの心理状態を表す語でありオノマトペと感嘆詞の少なくとも何れかにカテゴライズされる語（以下、「心理状態感性表現語」という）を入力とし、当該時点の時刻を取得する入力ステップと、
心理状態感性表現語を入力とし、心理状態感性表現語に対応する心理状態指標値に変換する心理状態推定モデルを用いて、前記入力部に入力された心理状態感性表現語に対応する心理状態指標値を推定する心理状態推定ステップと、
前記心理状態感性表現語の文字列と前記心理状態指標値とを時間的変動が視認可能な形式で可視化して提示する提示ステップを含み、
前記提示ステップは、
表示用の画面上に第１種類の心理状態指標値の軸と第２種類の心理状態指標値の軸の二次元グラフを表示し、
前記二次元グラフ上の、前記複数時刻のそれぞれの前記第１種類の前記心理状態指標値と前記第２種類の前記心理状態指標値の組に対応する位置に所定のマーカを表示し、
前記各時刻のマーカの近傍に、当該マーカに対応する時刻の前記心理状態感性表現語の文字列を表示し、
前記各マーカから次の時刻のマーカへの矢印を表示する、
心理状態可視化方法。
【請求項２８】
請求項８から請求項２３の何れかの心理状態可視化装置としてコンピュータを機能させるためのプログラム。
【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
ある時点におけるユーザの心理状態を表すオノマトペと、当該時点における前記ユーザの心理状態を示す心理状態指標値とを入力とし、当該時点の時刻を取得する入力部と、
前記オノマトペの文字列と前記心理状態指標値とを時間的変動が視認可能な形式で可視化して提示する提示部を含み、
前記提示部は、
表示用の画面を備え、
前記画面上に時間軸と心理状態指標値の軸の二次元グラフを表示し、
前記二次元グラフ上の前記複数時刻のそれぞれの前記心理状態指標値の位置に所定のマーカを表示し、
前記各時刻のマーカの近傍に、当該マーカに対応する時刻の前記オノマトペの文字列を表示する、
心理状態可視化装置。
【請求項２】
請求項１に記載の心理状態可視化装置であって、
前記提示部は、
複数種類の前記心理状態指標値についての表示をするものであり、
前記画面上に時間の軸と第１種類の心理状態指標値の軸との二次元グラフを表示し、
前記二次元グラフ上の前記複数時刻のそれぞれの前記第１種類の前記心理状態指標値の位置に所定のマーカを表示し、
前記各時刻のマーカの近傍に、当該マーカに対応する時刻の前記オノマトペの文字列を表示し、
前記画面上に、前記二次元グラフと同時に、第２種類の心理状態の指標値の代表値を表示するための複数個のメータも表示し、
前記複数個のメータそれぞれは、前記複数の時刻に含まれるそれぞれ異なる時間区間に対応するものとして、時間順に並べて配置し、
前記複数個のメータそれぞれには、前記各時間区間における前記第２種類の前記心理状態指標値の代表値を指針で表示する、
心理状態可視化装置。
【請求項３】
ある時点におけるユーザの心理状態を表すオノマトペと、当該時点における前記ユーザの心理状態を示す心理状態指標値とを入力とし、当該時点の時刻を取得する入力部と、
前記オノマトペの文字列と前記心理状態指標値とを時間的変動が視認可能な形式で可視化して提示する提示部を含み、
前記提示部は、
表示用の画面を備え、
前記画面上に第１種類の心理状態指標値の軸と第２種類の心理状態指標値の軸の二次元グラフを表示し、
前記二次元グラフ上の、前記複数時刻のそれぞれの前記第１種類の前記心理状態指標値と前記第２種類の前記心理状態指標値の組に対応する位置に所定のマーカを表示し、
前記各時刻のマーカの近傍に、当該マーカに対応する時刻の前記オノマトペの文字列を表示し、
前記各マーカから次の時刻のマーカへの矢印を表示する、
心理状態可視化装置。
【請求項４】
請求項３に記載の心理状態可視化装置であって、
前記複数の時刻は、第１の日の複数の時刻と前記第１の日とは異なる第２の日の複数の時刻を含み、
前記提示部は、
前記第１の日の前記矢印を、第１の線種で表示し、
前記第２の日の前記矢印を、前記第１の線種とは異なる第２の線種で表示する、
心理状態可視化装置。
【請求項５】
ある時点におけるユーザの心理状態を表すオノマトペを入力とし、当該時点の時刻を取得する入力部と、
オノマトペを入力とし、オノマトペに対応する心理状態指標値に変換する心理状態推定モデルを用いて、前記入力部に入力されたオノマトペに対応する心理状態指標値を推定する心理状態推定部と、
前記オノマトペの文字列と前記心理状態指標値とを時間的変動が視認可能な形式で可視化して提示する提示部を含み、
前記提示部は、
表示用の画面を備え、
前記画面上に時間軸と心理状態指標値の軸の二次元グラフを表示し、
前記二次元グラフ上の前記複数時刻のそれぞれの前記心理状態指標値の位置に所定のマーカを表示し、
前記各時刻のマーカの近傍に、当該マーカに対応する時刻の前記オノマトペの文字列を表示する、
心理状態可視化装置。
【請求項６】
請求項５に記載の心理状態可視化装置であって、
前記提示部は、
複数種類の前記心理状態指標値についての表示をするものであり、
前記画面上に時間の軸と第１種類の心理状態指標値の軸との二次元グラフを表示し、
前記二次元グラフ上の前記複数時刻のそれぞれの前記第１種類の前記心理状態指標値の位置に所定のマーカを表示し、
前記各時刻のマーカの近傍に、当該マーカに対応する時刻の前記オノマトペの文字列を表示し、
前記画面上に、前記二次元グラフと同時に、第２種類の心理状態の指標値の代表値を表示するための複数個のメータも表示し、
前記複数個のメータそれぞれは、前記複数の時刻に含まれるそれぞれ異なる時間区間に対応するものとして、時間順に並べて配置し、
前記複数個のメータそれぞれには、前記各時間区間における前記第２種類の前記心理状態指標値の代表値を指針で表示する、
心理状態可視化装置。
【請求項７】
ある時点におけるユーザの心理状態を表すオノマトペを入力とし、当該時点の時刻を取得する入力部と、
オノマトペを入力とし、オノマトペに対応する心理状態指標値に変換する心理状態推定モデルを用いて、前記入力部に入力されたオノマトペに対応する心理状態指標値を推定する心理状態推定部と、
前記オノマトペの文字列と前記心理状態指標値とを時間的変動が視認可能な形式で可視化して提示する提示部を含み、
前記提示部は、
表示用の画面を備え、
前記画面上に第１種類の心理状態指標値の軸と第２種類の心理状態指標値の軸の二次元グラフを表示し、
前記二次元グラフ上の、前記複数時刻のそれぞれの前記第１種類の前記心理状態指標値と前記第２種類の前記心理状態指標値の組に対応する位置に所定のマーカを表示し、
前記各時刻のマーカの近傍に、当該マーカに対応する時刻の前記オノマトペの文字列を表示し、
前記各マーカから次の時刻のマーカへの矢印を表示する、
心理状態可視化装置。
【請求項８】
請求項７に記載の心理状態可視化装置であって、
前記複数の時刻は、第１の日の複数の時刻と前記第１の日とは異なる第２の日の複数の時刻を含み、
前記提示部は、
前記第１の日の前記矢印を、第１の線種で表示し、
前記第２の日の前記矢印を、前記第１の線種とは異なる第２の線種で表示する、
心理状態可視化装置。
【請求項９】
ある時点におけるユーザの心理状態を表す語でありオノマトペと感嘆詞の少なくとも何れかにカテゴライズされる語（以下、「心理状態感性表現語」という）と、当該時点における前記ユーザの心理状態を示す心理状態指標値とを入力とし、当該時点の時刻を取得する入力部と、
前記心理状態感性表現語の文字列と前記心理状態指標値とを時間的変動が視認可能な形式で可視化して提示する提示部を含み、
前記提示部は、
表示用の画面を備え、
前記画面上に時間軸と心理状態指標値の軸の二次元グラフを表示し、
前記二次元グラフ上の前記複数時刻のそれぞれの前記心理状態指標値の位置に所定のマーカを表示し、
前記各時刻のマーカの近傍に、当該マーカに対応する時刻の前記心理状態感性表現語の文字列を表示する、
心理状態可視化装置。
【請求項１０】
請求項９に記載の心理状態可視化装置であって、
前記提示部は、
複数種類の前記心理状態指標値についての表示をするものであり、
前記画面上に時間の軸と第１種類の心理状態指標値の軸との二次元グラフを表示し、
前記二次元グラフ上の前記複数時刻のそれぞれの前記第１種類の前記心理状態指標値の位置に所定のマーカを表示し、
前記各時刻のマーカの近傍に、当該マーカに対応する時刻の前記心理状態感性表現語の文字列を表示し、
前記画面上に、前記二次元グラフと同時に、第２種類の心理状態の指標値の代表値を表示するための複数個のメータも表示し、
前記複数個のメータそれぞれは、前記複数の時刻に含まれるそれぞれ異なる時間区間に対応するものとして、時間順に並べて配置し、
前記複数個のメータそれぞれには、前記各時間区間における前記第２種類の前記心理状態指標値の代表値を指針で表示する、
心理状態可視化装置。
【請求項１１】
ある時点におけるユーザの心理状態を表す語でありオノマトペと感嘆詞の少なくとも何れかにカテゴライズされる語（以下、「心理状態感性表現語」という）と、当該時点における前記ユーザの心理状態を示す心理状態指標値とを入力とし、当該時点の時刻を取得する入力部と、
前記心理状態感性表現語の文字列と前記心理状態指標値とを時間的変動が視認可能な形式で可視化して提示する提示部を含み、
前記提示部は、
表示用の画面を備え、
前記画面上に第１種類の心理状態指標値の軸と第２種類の心理状態指標値の軸の二次元グラフを表示し、
前記二次元グラフ上の、前記複数時刻のそれぞれの前記第１種類の前記心理状態指標値と前記第２種類の前記心理状態指標値の組に対応する位置に所定のマーカを表示し、
前記各時刻のマーカの近傍に、当該マーカに対応する時刻の前記心理状態感性表現語の文字列を表示し、
前記各マーカから次の時刻のマーカへの矢印を表示する、
心理状態可視化装置。
【請求項１２】
請求項１１に記載の心理状態可視化装置であって、
前記複数の時刻は、第１の日の複数の時刻と前記第１の日とは異なる第２の日の複数の時刻を含み、
前記提示部は、
前記第１の日の前記矢印を、第１の線種で表示し、
前記第２の日の前記矢印を、前記第１の線種とは異なる第２の線種で表示する、
心理状態可視化装置。
【請求項１３】
ある時点におけるユーザの心理状態を表す語でありオノマトペと感嘆詞の少なくとも何れかにカテゴライズされる語（以下、「心理状態感性表現語」という）を入力とし、当該時点の時刻を取得する入力部と、
心理状態感性表現語を入力とし、心理状態感性表現語に対応する心理状態指標値に変換する心理状態推定モデルを用いて、前記入力部に入力された心理状態感性表現語に対応する心理状態指標値を推定する心理状態推定部と、
前記心理状態感性表現語の文字列と前記心理状態指標値とを時間的変動が視認可能な形式で可視化して提示する提示部を含み、
前記提示部は、
表示用の画面を備え、
前記画面上に時間軸と心理状態指標値の軸の二次元グラフを表示し、
前記二次元グラフ上の前記複数時刻のそれぞれの前記心理状態指標値の位置に所定のマーカを表示し、
前記各時刻のマーカの近傍に、当該マーカに対応する時刻の前記心理状態感性表現語の文字列を表示する、
心理状態可視化装置。
【請求項１４】
請求項１３に記載の心理状態可視化装置であって、
前記提示部は、
複数種類の前記心理状態指標値についての表示をするものであり、
前記画面上に時間の軸と第１種類の心理状態指標値の軸との二次元グラフを表示し、
前記二次元グラフ上の前記複数時刻のそれぞれの前記第１種類の前記心理状態指標値の位置に所定のマーカを表示し、
前記各時刻のマーカの近傍に、当該マーカに対応する時刻の前記心理状態感性表現語の文字列を表示し、
前記画面上に、前記二次元グラフと同時に、第２種類の心理状態の指標値の代表値を表示するための複数個のメータも表示し、
前記複数個のメータそれぞれは、前記複数の時刻に含まれるそれぞれ異なる時間区間に対応するものとして、時間順に並べて配置し、
前記複数個のメータそれぞれには、前記各時間区間における前記第２種類の前記心理状態指標値の代表値を指針で表示する、
心理状態可視化装置。
【請求項１５】
ある時点におけるユーザの心理状態を表す語でありオノマトペと感嘆詞の少なくとも何れかにカテゴライズされる語（以下、「心理状態感性表現語」という）を入力とし、当該時点の時刻を取得する入力部と、
心理状態感性表現語を入力とし、心理状態感性表現語に対応する心理状態指標値に変換する心理状態推定モデルを用いて、前記入力部に入力された心理状態感性表現語に対応する心理状態指標値を推定する心理状態推定部と、
前記心理状態感性表現語の文字列と前記心理状態指標値とを時間的変動が視認可能な形式で可視化して提示する提示部を含み、
前記提示部は、
表示用の画面を備え、
前記画面上に第１種類の心理状態指標値の軸と第２種類の心理状態指標値の軸の二次元グラフを表示し、
前記二次元グラフ上の、前記複数時刻のそれぞれの前記第１種類の前記心理状態指標値と前記第２種類の前記心理状態指標値の組に対応する位置に所定のマーカを表示し、
前記各時刻のマーカの近傍に、当該マーカに対応する時刻の前記心理状態感性表現語の文字列を表示し、
前記各マーカから次の時刻のマーカへの矢印を表示する、
心理状態可視化装置。
【請求項１６】
請求項１５に記載の心理状態可視化装置であって、
前記複数の時刻は、第１の日の複数の時刻と前記第１の日とは異なる第２の日の複数の時刻を含み、
前記提示部は、
前記第１の日の前記矢印を、第１の線種で表示し、
前記第２の日の前記矢印を、前記第１の線種とは異なる第２の線種で表示する、
心理状態可視化装置。
【請求項１７】
ある時点におけるユーザの心理状態を表す語でありオノマトペと感嘆詞の少なくとも何れかにカテゴライズされる語（以下、「心理状態感性表現語」という）と、当該時点における前記ユーザの心理状態を示す心理状態指標値とを入力とし、当該時点の時刻を取得する入力ステップと、
前記心理状態感性表現語の文字列と前記心理状態指標値とを時間的変動が視認可能な形式で可視化して提示する提示ステップを含み、
前記提示ステップは、
表示用の画面上に時間軸と心理状態指標値の軸の二次元グラフを表示し、
前記二次元グラフ上の前記複数時刻のそれぞれの前記心理状態指標値の位置に所定のマーカを表示し、
前記各時刻のマーカの近傍に、当該マーカに対応する時刻の前記心理状態感性表現語の文字列を表示する、
心理状態可視化方法。
【請求項１８】
ある時点におけるユーザの心理状態を表す語でありオノマトペと感嘆詞の少なくとも何れかにカテゴライズされる語（以下、「心理状態感性表現語」という）と、当該時点における前記ユーザの心理状態を示す心理状態指標値とを入力とし、当該時点の時刻を取得する入力ステップと、
前記心理状態感性表現語の文字列と前記心理状態指標値とを時間的変動が視認可能な形式で可視化して提示する提示ステップを含み、
前記提示ステップは、
表示用の画面上に第１種類の心理状態指標値の軸と第２種類の心理状態指標値の軸の二次元グラフを表示し、
前記二次元グラフ上の、前記複数時刻のそれぞれの前記第１種類の前記心理状態指標値と前記第２種類の前記心理状態指標値の組に対応する位置に所定のマーカを表示し、
前記各時刻のマーカの近傍に、当該マーカに対応する時刻の前記心理状態感性表現語の文字列を表示し、
前記各マーカから次の時刻のマーカへの矢印を表示する、
心理状態可視化方法。
【請求項１９】
ある時点におけるユーザの心理状態を表す語でありオノマトペと感嘆詞の少なくとも何れかにカテゴライズされる語（以下、「心理状態感性表現語」という）を入力とし、当該時点の時刻を取得する入力ステップと、
心理状態感性表現語を入力とし、心理状態感性表現語に対応する心理状態指標値に変換する心理状態推定モデルを用いて、前記入力ステップに入力された心理状態感性表現語に対応する心理状態指標値を推定する心理状態推定ステップと、
前記心理状態感性表現語の文字列と前記心理状態指標値とを時間的変動が視認可能な形式で可視化して提示する提示ステップを含み、
前記提示ステップは、
表示用の画面上に時間軸と心理状態指標値の軸の二次元グラフを表示し、
前記二次元グラフ上の前記複数時刻のそれぞれの前記心理状態指標値の位置に所定のマーカを表示し、
前記各時刻のマーカの近傍に、当該マーカに対応する時刻の前記心理状態感性表現語の文字列を表示する、
心理状態可視化方法。
【請求項２０】
ある時点におけるユーザの心理状態を表す語でありオノマトペと感嘆詞の少なくとも何れかにカテゴライズされる語（以下、「心理状態感性表現語」という）を入力とし、当該時点の時刻を取得する入力ステップと、
心理状態感性表現語を入力とし、心理状態感性表現語に対応する心理状態指標値に変換する心理状態推定モデルを用いて、前記入力部に入力された心理状態感性表現語に対応する心理状態指標値を推定する心理状態推定ステップと、
前記心理状態感性表現語の文字列と前記心理状態指標値とを時間的変動が視認可能な形式で可視化して提示する提示ステップを含み、
前記提示ステップは、
表示用の画面上に第１種類の心理状態指標値の軸と第２種類の心理状態指標値の軸の二次元グラフを表示し、
前記二次元グラフ上の、前記複数時刻のそれぞれの前記第１種類の前記心理状態指標値と前記第２種類の前記心理状態指標値の組に対応する位置に所定のマーカを表示し、
前記各時刻のマーカの近傍に、当該マーカに対応する時刻の前記心理状態感性表現語の文字列を表示し、
前記各マーカから次の時刻のマーカへの矢印を表示する、
心理状態可視化方法。
【請求項２１】
請求項１から請求項１６の何れかの心理状態可視化装置としてコンピュータを機能させるためのプログラム。
【国際調査報告】
2020217373.tif 000012
2020217373.tif 000013
2020217373.tif 000014
2020217373.tif 000015